(57)【特許請求の範囲】
【請求項１】
人間の目または鳥動物類の天敵の眼や身体的特徴形状を印刷または添付した紙に形成した折り目を折って食品を収容する谷部を形成したことを特徴とする飲食用容器。
【発明の詳細な説明】
【技術分野】
【０００１】
本発明は、かもめ等カラスを含む鳥類および動物に飲食物を奪われないように守ることが出来る飲食物包装および飲食物容器に関する。
【背景技術】
【０００２】
かもめ等カラスを含む鳥類および動物（以下、鳥動物類）は人間の持っている飲食物をも狙い、人間から飲食物を奪い取ることが知られている。
特に観光地において観光客が売店より飲食物を買って、そのまま屋外で飲食する場合には、鳥動物類のこれらの行動は観光客の飲食物購入の意欲を低下させる原因となり、店舗に経済的なダメージを及ぼしている。
しかしながら飲食物包装および容器は、飲食物を収容するという目的を達するのみの旧態以前としたものであり、飲食物包装および容器によって、鳥動物類を飲食物に近づかせずに奪われないようにするという発想は今まで全くなかった。
【発明の概要】
【発明が解決しようとする課題】
【０００３】
鳥動物類から人間が飲食物を奪われないために、人間は近づいてきた鳥動物類を人間の手足等の身体または道具を用いて、鳥動物類を人間が攻撃する、または鳥動物類と人間との距離がそれ以上近づかないように人間が威嚇するということが従来の方法である。
しかしながら、人間の視界に鳥動物類が入る前に、人間は鳥動物類から飲食物を奪われたり、そしてまた人間の視界に入ってから鳥動物類を威嚇・攻撃しようとしても間に合わないことがある。
本発明は飲食物を巡る人間対鳥動物類の対立構図を、直接的に人間が鳥動物類を威嚇・攻撃するによって人間が勝利を収めるという位相から脱却し、予め飲食物に近づいては危険であると鳥動物類が理解できる警告を飲食物包装容器に設け、人間が鳥動物類から飲食物を奪われないという意味においての共存関係を図ることを目的としている。
【０００４】
本発明は、以上のような思想・事情に鑑みなされたものであり、観光地等の屋外に置いて人間は鳥動物類に飲食物を奪われることなく屋外で飲食を楽しむことが出来、かつ観光地等に彩りを添えている鳥動物類は、人間から見えるところ（すなわち鳥動物類から見たら人間の持っている飲食物の判別できるところ）に近づいてきても、飲食物の包装容器により警告され、容易に飲食物に近づくことは出来ない、ということを目的とする。
【課題を解決するための手段】
【０００５】
上記目的を達成するため、本発明の飲食物包装容器（以下、単に「包装容器」ともいう）は、「包装容器」に人間の目または鳥動物類の天敵の眼等の身体的特徴を設ける。
【発明の効果】
【０００６】
本発明によれば、鳥動物類は「包装容器」に人間の目または天敵の眼を見つけ、人間の持つ飲食物に近づくことが出来ない。人間の目または天敵の眼のみならず人間または天敵の顔、身体の特徴（口ばし等）がわかるものを設けるものも本発明に含まれる。天敵の眼とは例えばハヤブサの眼である。
【図面の簡単な説明】
【０００７】
【図１】本発明の包装容器の展開図の裏面
【図２】図１に人間の目または天敵の眼および顔、身体の特徴（以下身体の特徴）を設けた表面
【図３】図１に身体の特徴を設けた裏面
【図４】図２を収容する飲食物の長さに応じて、「表面」の「身体の特徴」を含めて「裏面」の上に折り畳む
【図５】図４の符号３「目・眼」の上より折りたたむ
【図６】図５の符号２５を中心に二つに折りたたむ。符号２５と符号２６の幅は飲食物の形状、大きさに応じて変化する図５の符号２５を谷折り、符号２６を山折りにして符号１部をほぼ水平にする。符号３の目・眼部分、符号４のくちばし部分を際立たせる
【図７】「包装容器」に飲食物５を収容した状態
【図８】ドクター中松メガネーで持つ
【図９】ドクター中松メガネーの原理図
【図１０】飲料容器
【図１１】ドクター中松メガネーの応用図
【発明を実施するための形態】
【０００８】
以下、本発明の包装容器について、図面を参照しながら説明する。
【０００９】
図1は、本発明「包装容器」の展開図の食品保持部面である。一枚の用紙（材質は紙以外も本発明に含まれる）一例を示す説明図である。図１で示される一枚の用紙を２１，２５，２６の折り目で折ることによって完成するので、コストダウンとなる。
【００１０】
図２は、本発明の展開図の裏面である。「身体的特徴」によって鳥動物類に警告するので、「身体的特徴」、即ち図３を明確に設ける。４はくちばしである。牙（きば）、鶏冠（とさか）、羽根など天敵の特徴を設けたものも本発明に含まれる。これは印刷によって予め設けても、シール等で後に付着しても本発明に含まれる。
【００１１】
図３は、本発明の折り方の説明で、まず図１の２１と２２で折る。
【００１２】
図４は、本発明の折り方の第２ステップで図３の２３の折り目で折る。
【００１３】
図５は、本発明の折り方の第３ステップで図４の２４の折り目で折る。
【００１４】
本発明の折り方の第４ステップで図５の２６の折り目で折ると、本発明容器として完成したのが図６である。
【００１５】
図７は、図６の２５と２６の折り目で形成された谷２７に飲食物（例示「ロブスターロール」）を収容した状態。
【００１６】
図８はドクター中松メガネーで保持
【００１７】
図９はドクター中松メガネーの原理図
【００１８】
図１０は飲料容器版
【００１９】
図１１はドクター中松メガネーの応用版（目・眼部分を上方に向ける）
【００２０】
一枚の用紙を折り畳んだ飲食物包装容器に限らず、いかなる飲食物包装容器に身体的特徴を設けて、鳥動物類に警告を与えることも本発明に含まれる。さらにドクター中松メガネーをつけて飲食すると、その効果は倍増する。
【００２１】
以上、本発明の実施形態について説明したが、本発明は上述した実施形態にのみ限定されるものではなく、折り紙でなく成形したプラスチック等の容器も本発明に含まれる。本発明の範囲で種々の変更実施が可能である。
【産業上の利用可能性】
【００２２】
本発明は、観光地等の屋外で鳥動物類に飲食物を奪われることなく、飲食することが出来るので、観光地等の屋外での飲食物を販売する店舗の収益が上がる。そしてまた本発明は製造時のコストを抑えることが出来る形状であるため
産業上の利用可能性が大きい。
【符号の説明】
【００２３】
１  飲食物包装容器
２１折り目
２２折り目
２３折り目
２４折り目
２５折り目
２６折り目
２７谷（飲食物収納部）
３  人間または天敵の目（眼）
４  人間または天敵の身体的特徴（例：くちばし）  
５  飲食物（例：ロブスターロール）
６  １を保持する人間
７  その人間がかけたドクター中松メガネー
８  目の画
９  スリット
１０  目の画
１１  飲料等容器
１２  目の画
【図１】
0006906247.tif 000002
【図２】
0006906247.tif 000003
【図３】
0006906247.tif 000004
【図４】
0006906247.tif 000005
【図５】
0006906247.tif 000006
【図６】
0006906247.tif 000007
【図７】
0006906247.tif 000008
【図８】
0006906247.tif 000009
【図９】
0006906247.tif 000010
【図１０】
0006906247.tif 000011
【図１１】
0006906247.tif 000012